(57)【要約】【課題】縦枠の結露防止効果と内観向上【解決手段】上下枠１ａ、１ｂと左右の縦枠１ｃ、１ｄとから窓枠１を方形に枠組みするとともに、上記上下枠１ａ、１ｂにそれぞれ屋内側から屋外側にそれぞれ内障子７と中間障子８と外障子９とを摺動自在に案内する内レール２ａ、２ｂと中間レール３ａ、３ｂと外レール４ａ、４ｂを互いに平行に設け、閉止状態のとき上記外障子９の端部に当接する側の縦枠１ｃの内側には、上記上下枠１ａ、１ｂの中間レール３ａ、３ｂと外レールとの中間部に対応する位置から屋内側に亘って合成樹脂製の樹脂枠１４を取り付けるとともに、この樹脂枠１４の上下端には、上記中間レール３ａ、３ｂと内レール２ａ、２ｂの端部を跨ぐ切欠き溝２５、２６を形成した。【選択図】図４
2010001636.tif 000002
【特許請求の範囲】
【請求項１】
上下枠と左右の縦枠とから窓枠を方形に枠組みするとともに、上記上下枠にそれぞれ屋内側から屋外側にそれぞれ内障子と中間障子と外障子とを摺動自在に案内する内レールと中間レールと外レールを互いに平行に設け、障子閉止状態のとき上記外障子の端部に当接する側の縦枠の内側には、上記上下枠の中間レールと外レールとの中間部に対応する位置から屋内側に亘って合成樹脂製の樹脂枠を取り付けるとともに、この樹脂枠の下端には、上記中間レールと内レールの端部を跨ぐ切欠き溝を形成した
ことを特徴とする３枚引き戸サッシ。
【請求項２】
上記樹脂枠の上下端には、上記中間レールと内レールの端部を跨ぐ切欠き溝を形成したことを特徴とする、請求項１に記載の３枚引き戸サッシ。
【請求項３】
上記樹脂枠の上下端の端面は上枠の下面と下枠の上面とに当接したことを特徴とする、請求項１又は２に記載の３枚引き戸サッシ。
【発明の詳細な説明】
【技術分野】
【０００１】
本発明は、窓枠の内側に屋内側から屋外側に内障子と中間障子と外障子の３枚の引き戸障子を摺動自在に保持した３枚引き戸サッシに関する。
【背景技術】
【０００２】
一般に、引き戸サッシは２枚の引き戸障子を摺動自在に保持したものが主流であるが、開口部を大きくとるためには３枚の引き戸を保持したものも知られている。
【０００３】
ところで、結露防止のために縦枠の内側に合成樹脂製の結露防止用樹脂枠を張設するタイプのサッシでは、２枚引き戸サッシにおいては、障子が閉止状態のとき、左右両側の縦枠のうち内障子の端部に当接する側の縦枠では、屋内に露出する面は、内障子と当接する部分よりも屋内側の面であるが、これに対し、外障子の端部に当接する側の縦枠は、内障子が当接しないので、その分だけ屋内に露出する面が大きくなる。つまり、内障子を案内する上下枠の内レールよりも屋外側の面も屋内に露出する。この場合、金属製の縦枠本体の内側に張設する樹脂枠は、内レールの手前位置までの部分を上下に亘って覆うように配設されているのが現状である。内レールよりも屋外側の部分は金属枠が露出するが、その露出面積はわずかで内観を損なうほどでないということと、樹脂枠を設ける理由が断熱ではなく結露防止であったからである。
【発明の開示】
【発明が解決しようとする課題】
【０００４】
しかしながら、３枚の引き戸を保持する場合は、窓枠の縦枠も障子１枚分幅広になるので、結露防止のために縦枠の内側に合成樹脂製の樹脂枠を張設するタイプのサッシでは、障子閉止状態のとき、左右両側の縦枠のうち内障子の端部に当接する側の縦枠では、屋内に露出する面は、内障子と当接する部分よりも屋内側の面であり、これは２枚引き戸サッシの場合と同じである。ところが、外障子の端部に当接する側の縦枠は、中間障子も内障子も当接しないので、その分が大きく屋内に露出してしまう。つまり、中間障子を案内する上下枠の中間レールより屋外側の面も屋内側に露出する。このように大きく露出してしまうと、結露面が大きくなり、内観も損なわれてしまうので、その対策が望まれていた。
【０００５】
本発明は上記問題点を解消し、障子が閉止状態にあるとき、外障子に当接する側の縦枠の金属製縦枠本体の内側面を、その屋内端から上下枠の中間レールよりも屋外側まで覆って結露防止効果を向上することができるとともに、内観も向上させることができる３枚引き戸サッシを提供することをその課題とする。
【課題を解決するための手段】
【０００６】
前記課題を解決するため、請求項１に係る発明は、上下枠と左右の縦枠とから窓枠を方形に枠組みするとともに、上記上下枠にそれぞれ屋内側から屋外側にそれぞれ内障子と中間障子と外障子とを摺動自在に案内する内レールと中間レールと外レールを互いに平行に設け、障子閉止状態のとき上記外障子の端部に当接する側の縦枠の内側には、上記上下枠の中間レールと外レールとの中間部に対応する位置から屋内側に亘って合成樹脂製の樹脂枠を取り付けるとともに、この樹脂枠の下端には、上記中間レールと内レールの端部を跨ぐ切欠き溝を形成したことを特徴とする。
【０００７】
請求項２に係る発明は、請求項１において、上記樹脂枠の上下端には、上記中間レールと内レールの端部を跨ぐ切欠き溝を形成したことを特徴とする。
【０００８】
請求項３に係る発明は、請求項１又は２において、上記樹脂枠の上下端の端面は上枠の下面と下枠の上面とに当接したことを特徴とする。
【発明の効果】
【０００９】
請求項１に係る発明によれば、障子閉止状態のとき上記外障子の端部に当接する側の縦枠の内側には、上記上下枠の中間レールと外レールとの中間部に対応する位置から屋内側に亘って合成樹脂製の樹脂枠を取り付けるとともに、この樹脂枠の下端には、上記中間レールと内レールの端部を跨ぐ切欠き溝を形成した構成であるから、樹脂枠の下端は下枠の中間レールと内レールと干渉せずに縦枠本体の上下部まで覆うことができる。したがって、結露防止効果を向上させることができるとともに、内観も向上させることができる。
【００１０】
請求項２に係る発明によれば、樹脂枠の上下端には、中間レールと内レールの端部を跨ぐ切欠き溝を形成した構成であるから、樹脂枠の上下端はそれぞれ上下枠の中間レールと内レールと干渉せずに縦枠本体の上下部まで覆うことができる。したがって、結露防止効果と内観をより一層向上させることができる。
【００１１】
請求項３に係る発明によれば、上記樹脂枠の上下端の端面は上枠の下面と下枠の上面とに当接しているので、結露防止と内観向上効果をより確実に得ることができる。
【発明を実施するための最良の形態】
【００１２】
以下に、本発明の最良の実施形態を図面によって説明する。
【００１３】
図１は３枚引き戸サッシの正面図、図２は図１のＸ−Ｘ線上の断面図であり、図３は図１のＹ−Ｙ線上の断面図である。
【００１４】
同図において符号１は窓枠を示す。窓枠１はアルミニウムの押出型材からなる上枠１ａと下枠１ｂと左右の縦枠１ｃ、１ｄとを方形に枠組みしてなるものであり、上枠１ａにはそれぞれ屋内側から屋外側に内レール２ａと中間レール３ａと外レール４ａとが互いに平行に設けられている。同様に、下枠１ｂにもそれぞれ屋内側から屋外側に内レール２ｂと中間レール３ｂと外レール４ｂとが互いに平行に設けられている。上部の各レール２ａ、３ａ、４ａと下部の各レール２ｂ、３ｂ、４ｂはそれぞれ上下に対応する位置に配置され、また各レールは上下枠１ａ、１ｂの長手全長にわたり、互いに水平レベルで同じ高さになるように形成されている。また、上下枠１ａ、１ｂには、外レールの屋外側に２本の網戸レール５ａ、５ｂが形成されている。
【００１５】
なお、窓枠１の屋内側の端部の四周には合成樹脂製のアングル部６ａ、６ｂ、６ｃが設けられている。
【００１６】
また、上下枠１ａ、１ｂの内レール２ａ、３ａと中間レール２ｂ、３ｂと外レール３ａ、３ｂには、それぞれ内障子７と中間障子８と外障子９とが摺動自在に案内されている。下枠１ｂの内レール２ｂと中間レール３ｂと外レール４ｂは内障子７と中間障子８と外障子９の各戸車１０を転動自在に支持し、また、上枠１ａの内レール２ａと中間レール３ａと外レール４ａとは、内障子７と中間障子８と外障子９の上端に形成された摺動溝１１に係合している。これにより、内障子７と中間障子８と外障子９は対応するレールに沿って一端から他端まで開閉摺動できるようになっている。また、上記各網戸レール５ａ、５ｂには網戸１２ａ、１２ｂが摺動自在に案内されている。
【００１７】
次に、上記構成のサッシにおいて窓枠１の表面に結露が生じるのを防ぐため、上述のようにアングル部６ａ、６ｂ、６ｃが合成樹脂によって形成されている。
【００１８】
同様に、縦枠の内面にも合成樹脂製の樹脂枠１４が取り付けられている。ところが、縦枠１ｃ、１ｄは左右で屋内に露出する面積が異なる。すなわち、図３に示されるように、障子が閉止状態にあるとき、内障子７の端部に当接する側の縦枠１ｄの内面はほとんど屋内側に露出しない。わずかにアングル部６ｃが露出するにすぎない。これに対し、外障子９の端部に当接する側の縦枠１ｃの内面は、外障子９の受け面を除き、内障子７と中間障子８に対応する部分は屋内側に開放されて露出している。
【００１９】
外障子９の端部に当接する側の縦枠１ｃは、図４に示されるように、縦枠本体１５の外方に躯体開口部に固定するための取付縁１６を突出形成し、内方には屋内側に３個の鉤形突片１７、中間部にあり溝付き突片１７ａ、そして屋外側に外障子９の案内用突片１８と網戸の案内用突片１９とが突出形成されている。
【００２０】
そして、上記縦枠１ｃの内側には、合成樹脂製の樹脂枠１４が取り付けられている。樹脂枠１４は、枠本体１４ａとアングル部６ｃとを一体に形成してなり、枠本体１４ａは板状に形成され、その背面側には複数の脚片２０、２１等が突出形成されている。枠本体１４ａの幅は上下枠１ａ、１ｂの中間レール３ａ、３ｂと外レール４ａ、４ｂとの中間部に対応する位置から屋内側に亘るように設定され、枠本体１４ａの屋内端には取付部２２（図４参照）を介してアングル部６ｃが一体に形成されている（樹脂枠１４とアングル部６ｃとは別体でもよい）。また、屋内側の脚片２０には縦枠本体１５の鉤形突片１７の先端の片に係合可能な係合溝２３が形成されている。屋外側の脚片２１の先端は縦枠本体１５のあり溝付き突片１７ａの基部の係合溝２４に係合可能に屈曲している。
【００２１】
さらに、図5及び図６に示されるように、樹脂枠１４の上下端には、上下枠１ａ、１ｂの中間レール３ａ、３ｂと内レール２ａ、２ｂの端部を跨ぐ切欠き溝２５、２６が形成されている。
【００２２】
上記構成の樹脂枠１４は、図４に示されるように、その屋外側の脚片２１の先端を縦枠本体１５のあり溝付き突片１７ａの基部の係合溝２４に係合し、屋内側の脚片２０の係合溝２３を縦枠本体１５の鉤形突片１７の先端に係合させるとともに、取付部２２を縦枠本体１５にビス止めすることにより固定されている。このとき、樹脂枠１４の上下端の切欠き溝２５、２６は上下枠１ａ、１ｂの中間レール２ｂ、３ｂと内レール２ａ、２ｂの端部を跨ぎ、これらのレールと干渉しないようになっている。
【００２３】
なお、樹脂枠１４の上下端の端面は上枠１ａの下面と下枠１ｂの上面とに当接するようにするのが好ましいが、少し離れていてもよい。
【００２４】
上記構成によれば、樹脂枠１４の上下端に切欠き溝２５、２６を形成し、下枠１ａ、１ｂの中間レール３ａ、３ｂと内レール２ａ、２ｂの端部に係合させるようにしたので、それぞれ上下枠１ａ、１ｂの中間レール３ａ、３ｂと内レール２ａ、２ｂと干渉せずに縦枠本体１５の上下部まで覆うことができる。したがって、結露防止効果をより確実にすることができる。また、上下枠１ａ、１ｂの各レールの高さは高いので、樹脂枠１４の上下端を上下枠１ａ、１ｂの中間レール３ａ、３ｂと内レール２ａ、２ｂの手前で止めるときは、これらのレールと同じ高さレベルの金属面が露出するので、内観が著しく損なわれる。これに対し、上記構成では、各レールの両側も樹脂枠１４で覆われるので、内観も向上する。
【００２５】
また、樹脂枠１４の上下端の端面を上枠１ａの下面と下枠１ｂの上面とに当接したときは、結露防止と内観向上効果をより確実に得ることができる。
【００２６】
なお、図４及び図７に詳しく示すように、内障子７、中間障子8及び外障子９の各上下框２７ａ、２７ｂと縦框２７ｃの屋内側には合成樹脂製の断熱框１３ａ、１３ｂ、１３ｃを一体的に結合させることにより、障子の屋内側には断熱框１３ａ、１３ｂ、１３ｃが面することになる。そして、これに対応して上記樹脂枠１４が屋内側に面するので、サッシの内観が体裁よく統一されるとともに、結露防止も十分に確保される。
【００２７】
また、上述の実施形態においては、樹脂枠の上下端には、中間レールと内レールの端部を跨ぐ切欠き溝を形成した構成を示したが、一般的に窓枠の上端部分には注意が届きにくいので、切欠き溝は樹脂枠の下端のみに形成し、樹脂枠の上端は中間レールと内レールの直下部までとし、切欠き溝を形成しない構成としても十分に体裁を確保することができる。
【図面の簡単な説明】
【００２８】
【図１】３枚引き戸サッシの正面図
【図２】図１のＸ−Ｘ線上の断面図
【図３】図１のＹ−Ｙ線上の断面図
【図４】縦枠の一部の拡大断面図
【図５】上枠と縦枠との結合部の斜視図
【図６】下枠と縦枠との結合部の斜視図
【図７】下枠部分の拡大図
【符号の説明】
【００２９】
１ａ  上枠
１ｂ  下枠
１ｃ  縦枠
２ｂ  内レール
３ｂ  中間レール
４ｂ  外レール
１４  樹脂枠
７    内障子
８    中間障子
９    外障子
２５、２６  切欠き溝
【図１】
2010001636.tif 000003
【図２】
2010001636.tif 000004
【図３】
2010001636.tif 000005
【図４】
2010001636.tif 000006
【図５】
2010001636.tif 000007
【図６】
2010001636.tif 000008
【図７】
2010001636.tif 000009